(57)【要約】【課題】情報処理装置の負担を軽減して光通信モジュールに関する情報を送受信可能な光通信モジュール及びそれを用いた送受信システムを提供する。【解決手段】送受信システム１はホスト１０に接続された送信器２とホスト１１に接続された受信器３とを光通信ライン４により接続し、送信器２は、ホスト１０からホスト１１に送信すべき第１データ信号２０ａを変調した高速電気信号２１に送信器２のステータス情報を含む第２データ信号３０ａを低速電気信号３２として重畳させた重畳信号２５を生成する変調処理部１０１と、変調処理部１０１により生成された重畳信号２５を光信号６０に変換して光通信ライン４に出力する電光変換部１５０とを備え、受信器３は、光通信ライン４を介して受信した光信号６０を高速電気信号４０に変換する光電変換部２５０と、高速電気信号４０から第１データ信号２０ｂ及び第２データ信号３０ｂを抽出する復調処理部２０１とを備える。【選択図】図２
2015136086.tif 000002
【特許請求の範囲】
【請求項１】
相手の光通信モジュールに光伝送路により接続された光通信モジュールにおいて、
前記相手の光通信モジュールに送信すべき第１データ信号を変調した高速電気信号に自己の光通信モジュールのステータス情報を含む第２データ信号を低速電気信号として重畳させた重畳信号を生成する変調処理部と、
前記変調処理部により生成された重畳信号を光信号に変換して前記光伝送路に出力する電光変換部と、
を備えた光通信モジュール。
【請求項２】
第１の情報処理装置に接続された第１の光通信モジュールと第２の情報処理装置に接続された第２の光通信モジュールとを光伝送路により接続した送受信システムにおいて、
前記第１の光通信モジュールは、前記第１の情報処理装置から前記第２の情報処理装置に送信すべき第１データ信号を変調した高速電気信号に前記第１の光通信モジュールのステータス情報を含む第２データ信号を低速電気信号として重畳させた重畳信号を生成する変調処理部と、前記変調処理部により生成された重畳信号を光信号に変換して前記光伝送路に出力する電光変換部とを備え、
前記第２の光通信モジュールは、前記光伝送路を介して受信した光信号を電気信号に変換する光電変換部と、前記光電変換部により変換された電気信号から前記第１データ信号及び前記第２データ信号を抽出する復調処理部とを備えた、
送受信システム。
【請求項３】
前記第１の光通信モジュールの前記変調処理部は、前記低速電気信号をバイアス電圧として前記高速電気信号に付与して前記重畳信号を生成する、
請求項２に記載の送受信システム。
【請求項４】
前記第２の光通信モジュールの前記復調処理部は、前記光電変換部によって変換された前記電気信号、又は前記光電変換部によって変換される前の前記光信号の平均強度に基づいて前記第２データ信号を抽出する、
請求項２又は３に記載の送受信システム。
【請求項５】
前記第１の光通信モジュールは、前記光信号を差動信号として前記光伝送路を介して前記第２の光通信モジュールに送信する、請求項２から４のいずれか１項に記載の送受信システム。
【請求項６】
前記第１の光通信モジュールの前記変調処理部は、クロック信号を生成し、前記電光変換部は、前記クロック信号をクロック光信号に変換して前記光伝送路を介して前記第２の光通信モジュールに送信し、
前記第２の光通信モジュールの前記光電変換部は、前記光伝送路を介して送信された前記クロック光信号をクロック信号に変換し、前記復調処理部は、前記光電変換部により変換されたクロック信号に同期して前記電気信号から前記第１データ信号及び前記第２データ信号を抽出する、
請求項２から５のいずれか１項に記載の送受信システム。
【請求項７】
前記第１の光通信モジュールは、前記クロック光信号を差動信号として前記光伝送路を介して前記第２の光通信モジュールに送信する、
請求項６に記載の送受信システム。
【発明の詳細な説明】
【技術分野】
【０００１】
本発明は、光伝送路を介して光信号を送受信する光通信モジュール及びそれを用いた送受信システムに関する。
【背景技術】
【０００２】
従来、送信器（光通信モジュール）と受信器（光通信モジュール）を有する送受信システムにおいて、データ信号（主信号）だけでなく、互いの状態情報や制御情報に関する信号（副信号）が送受信されている。副信号には、光通信モジュールに関する情報が含まれている。データ信号は高速電気信号であり、互いの状態情報や制御情報に関する信号は低速電気信号であるため、送受信システムにおいて、例えば、高速電気信号は光ファイバ等の光通信ラインにより送受信され、低速電気信号は電気通信ラインにより送受信される場合がある。
【０００３】
ここで、近年、光通信ラインのみを利用して高速電気信号及び低速電気信号を送受信する技術として、高速電気信号に低速電気信号を重畳して送受信する光送信装置が提案されている（例えば、特許文献１参照）。
【０００４】
この特許文献１には、データ信号に対して低周波信号を重畳して光変調器に与え、変調器から出力される出力光から低周波信号の２倍の周波数成分を検出して、データ信号が送信されているかを判断する光送信装置が開示されている。
【先行技術文献】
【特許文献】
【０００５】
【特許文献１】特開２００４−５６１８７号公報
【発明の概要】
【発明が解決しようとする課題】
【０００６】
特許文献１に開示された光送信装置は、当該光送信装置がデータ信号を送信しているかを自己診断するためにデータ信号に対して低周波信号を重畳して光変調器に与えている。このため、当該光送信装置において、受信装置側での低周波信号の抽出については何ら考慮されていない。また、光通信モジュールに関する情報は、通常、光通信モジュールが接続されたホスト等の情報処理装置の制御により相手の光通信モジュールに送信される。
【０００７】
したがって、本発明の目的は、情報処理装置の負担を軽減して光通信モジュールに関する情報を送受信可能な光通信モジュール及びそれを用いた送受信システムを提供することにある。
【課題を解決するための手段】
【０００８】
本発明は、上記課題を解決することを目的として、相手の光通信モジュールに光伝送路により接続された光通信モジュールにおいて、前記相手の光通信モジュールに送信すべき第１データ信号を変調した高速電気信号に自己の光通信モジュールのステータス情報を含む第２データ信号を低速電気信号として重畳させた重畳信号を生成する変調処理部と、前記変調処理部により生成された重畳信号を光信号に変換して前記光伝送路に出力する電光変換部と、を備えた光通信モジュールを提供する。
【０００９】
本発明は、上記課題を解決することを目的として、第１の情報処理装置に接続された第１の光通信モジュールと第２の情報処理装置に接続された第２の光通信モジュールとを光伝送路により接続した送受信システムにおいて、前記第１の光通信モジュールは、前記第１の情報処理装置から前記第２の情報処理装置に送信すべき第１データ信号を変調した高速電気信号に前記第１の光通信モジュールのステータス情報を含む第２データ信号を低速電気信号として重畳させた重畳信号を生成する変調処理部と、前記変調処理部により生成された重畳信号を光信号に変換して前記光伝送路に出力する電光変換部とを備え、前記第２の光通信モジュールは、前記光伝送路を介して受信した光信号を電気信号に変換する光電変換部と、前記光電変換部により変換された電気信号から前記第１データ信号及び前記第２データ信号を抽出する復調処理部とを備えた、送受信システムを提供する。
【発明の効果】
【００１０】
本発明によれば、情報処理装置の負担を軽減して光通信モジュールに関する情報を送受信することが可能になる。
【図面の簡単な説明】
【００１１】
【図１】図１は、本発明の第１の実施の形態に係る送受信システムの概要を示す図である。
【図２】図２は、送受信システムの詳細な構成を示すブロック図である。
【図３】図３は、送信器における信号波形を示し、（ａ）は、高速電気信号、（ｂ）はバイアス電圧付与後の低速電気信号、（ｃ）は重畳信号の波形をそれぞれ示す図である。
【図４】図４は、受信器における信号波形を示し、（ａ）は高速電気信号、（ｂ）は低速電気信号、（ｃ）は第２データ信号の波形をそれぞれ示す図である。
【図５】図５は、本発明の第２の実施の形態に係る送受信システムの構成例を示すブロック図である。
【図６】図６は、本発明の第３の実施の形態に係る送受信システムの構成例を示すブロック図である。
【図７】図７は、第３の実施の形態における概略の信号の流れを示す図である。
【図８】図８は、本発明の第４の実施の形態に係る送受信システムの構成例を示すブロック図である。
【図９】図９は、第４の実施の形態における概略の信号の流れを示す図である。
【図１０】図１０は、本発明の第５の実施の形態に係る送受信システムの概要を示す図である。
【発明を実施するための形態】
【００１２】
［第１の実施の形態］
図１は、本発明の第１の実施の形態に係る送受信システムの概要を示す図である。この送受信システム１は、第１の情報処理装置としてのホスト１０のマザーボード１０ａに着脱可能に装着された送信器２と、第２の情報処理装置としてのホスト１１のマザーボード１１ａに着脱可能に装着された受信器３とを有して構成される。送信器２と受信器３とは、光通信ライン４により接続される。ここで、送信器２及び受信器３は、光通信モジュールの一例でありる。光通信ライン４は、光伝送路の一例である。
【００１３】
ホスト１０のマザーボード１０ａは、図示しないＣＰＵ、メモリ等を有して構成されるとともに、複数のスロットを備える。複数のスロットのうちの１つのスロットに送信器２が装着される。マザーボード１０ａのＣＰＵは、ホスト１１に送信すべき第１データ信号２０ａを送信器２により光信号６０に変換して光通信ライン４を介して受信器３に送信する。
【００１４】
ホスト１１のマザーボード１１ａは、図示しないＣＰＵ、メモリ等を有して構成されるとともに、複数のスロットを備える。複数のスロットのうちの１つのスロットに受信器３が装着される。マザーボード１１ａのＣＰＵは、送信器２から送信された光信号６０を受信器３により受信し、受信器３から第１データ信号２０ｂを取得する。
【００１５】
光通信ライン４は、例えば光ファイバケーブルであり、光ファイバケーブルの一端が送信側コネクタを介して送信器２に接続され、光ファイバケーブルの他端が受信側コネクタを介して受信器３に接続される。
【００１６】
送信器２は、ホスト１０からの第１データ信号２０ａに送信器２のステータス情報等の送信器２に関する情報を含む第２データ信号３０ａを重畳させた重畳信号２５を生成する変調処理部１０１と、重畳信号２５を光信号６０に変換して光通信ライン４を介して受信器３に送信する電光変換部１５０とを備える。
【００１７】
受信器３は、送信器２から光通信ライン４を介して送信された光信号６０を光電変換する光電変換部２５０と、光電変換部２５０によって光電変換された高速電気信号４０から第１データ信号２０ｂ及び第２データ信号３０ｂを抽出し、第１データ信号２０ｂをホスト１１に出力する復調処理部２０１とを備える。
【００１８】
図２は、送受信システム１の詳細な構成を示すブロック図である。図３は、送信器２における信号波形を示し、（ａ）は、高速電気信号２１、（ｂ）はバイアス電圧付与後の低速電気信号３２、（ｃ）は重畳信号２５の波形をそれぞれ示す図である。図４は、受信器３における信号波形を示し、（ａ）は高速電気信号４０、（ｂ）は低速電気信号４１、（ｃ）は第２データ信号３０ｂの波形をそれぞれ示す図である。
【００１９】
（送信器２の構成）
送信器２は、前述したように変調処理部１０１と、電光変換部１５０とを備える。変調処理部１０１は、高速信号生成部１１０と、重畳部１１５と、低速信号生成部１２０と、バイアス付与部１３０と、制御部１４０とを備える。
【００２０】
高速信号生成部１１０は、ホスト１０からの第１データ信号２０ａをＧｂｐｓオーダ（例えば１Ｇｂｐｓ以上又は１０Ｇｂｐｓ以上）の図３（ａ）に示すような高速電気信号２１に変換して生成し、高速電気信号２１を重畳部１１５に出力する。高速信号生成部１１０は、例えば、第１データ信号２０ａを増幅する増幅器、パルス信号を発生する発振回路、８Ｂ１０Ｂ変換回路等を有して構成される。
【００２１】
低速信号生成部１２０は、制御部１４０の不図示のメモリから読み出されたステータス情報を含む第２データ信号３０ａを受け付け、その第２データ信号３０ａをｋＨｚ又はＭＨｚオーダ（例えば１ＭＨｚ以下又は１０ＭＨｚ以下）の例えば電圧Ｖｓのパルス列からなる低速電気信号３１に変換して生成し、低速電気信号３１をバイアス付与部１３０に出力する。低速信号生成部１２０は、例えば、第２データ信号３０ａを増幅する増幅器、パルス電流を発生する発振回路等を有して構成される。
【００２２】
ここで、第２データ信号３０ａは、光通信ライン４のコネクタが外れているかどうか、制御部１４０の状態等の光通信モジュール（本実施の形態では送信器２）のステータス情報の他、異常検知のための温度情報、電圧変動情報、互いの整合性をチェックするためのファームウェアバージョン情報、シリアルナンバー情報、プロダクトナンバー情報、波形補正のためのイコライザ設定値情報、エンファシス設定値情報等の光通信モジュールに関する情報を含んでもよい。さらに、第２データ信号３０ａには、第１データ信号２０ａの制御に関する情報を含んでもよい。
【００２３】
バイアス付与部１３０は、低速信号生成部１２０により生成された低速電気信号３１に電光変換部１５０を駆動するためのバイアス電圧Ｖｂを付与した図３（ｂ）に示すような低速電気信号３２を重畳部１１５に出力する。バイアス付与部１３０は、例えば、バイアス回路を有して構成される。
【００２４】
重畳部１１５は、高速信号生成部１１０により生成された高速電気信号２１にバイアス付与部１３０によりバイアス電圧Ｖｂが付与された低速電気信号３２を重畳して図３（ｃ）に示すような重畳信号２５を生成し、電光変換部１５０に出力する。重畳部１１５は、例えば駆動回路等を有して構成される。
【００２５】
制御部１４０は、ＣＰＵ、メモリ等を有して構成され、送信器２を構成する各機能部を制御するとともに、メモリに記憶されたステータス情報等の各種情報を第２データ信号３０ａとして低速信号生成部１２０に出力する。
【００２６】
電光変換部１５０は、重畳部１１５により生成された重畳信号２５を光信号６０に電光変換し、光通信ライン４を介して受信器３に出力する。電光変換部１５０は、例えば、レーザーダイオード、ＶＣＳＥＬ（Vertical Cavity Surface Emitting Laser）等の発光素子を有して構成される。
【００２７】
（受信器３の構成）
受信器３は、前述したように、光電変換部２５０と、復調処理部２０１とを備える。復調処理部２０１は、低速信号抽出部２１０と、第２データ信号抽出部２２０と、制御部２４０と、信号変換部５０とを備える。
【００２８】
光電変換部２５０は、送信器２から出力された光信号６０を図４（ａ）に示すような高速電気信号４０に変換して復調処理部２０１の低速信号抽出部２１０及び信号変換部５０に出力する。光電変換部２５０は、例えばフォトダイオード等の受光素子を有して構成される。高速電気信号４０には、バイアス電圧成分と低速電気信号成分が含まれている。
【００２９】
低速信号抽出部２１０は、高速電気信号４０の高周波成分をカットし、低周波成分を検知し、高速電気信号４０から図４（ｂ）に示すような低速電気信号４１を抽出する。低速電気信号４１には、バイアス電圧成分が含まれている。低速信号抽出部２１０は、例えば各種フィルター等（ローパスフィルタ又はバンドパスフィルタ等）を有して構成される。なお、低速信号抽出部２１０は、不図示の光分岐部により分岐された光信号６０の一部や、漏れ光である光信号６０の一部を光電変換して入力し、光信号６０の平均強度を検出してもよい。
【００３０】
第２データ信号抽出部２２０は、低速信号抽出部２１０により抽出された低速電気信号４１から図４（ｃ）に示すような第２データ信号３０ｂを抽出し、制御部２４０に出力する。第２データ信号抽出部２２０は、例えば低速電気信号４１と閾値電圧Ｖｃとを比較し、閾値電圧Ｖｃ以上の電圧を第２データ信号３０ｂとして検出する。第２データ信号抽出部２２０は、例えば、各種フィルターやピーク検波器等を有して構成される。
【００３１】
制御部２４０は、ＣＰＵ、メモリ等を有して構成され、受信器３を構成する各機能部を制御するとともに、第２データ信号抽出部２２０から出力された第２データ信号３０ｂに含まれるステータス情報等をメモリに記憶する。
【００３２】
信号変換部５０は、光電変換部２５０から出力された高速電気信号４０をバイアス電圧成分の除去、１０Ｂ８Ｂ変換等の所定の処理を行って第１データ信号２０ｂに変換し、第１データ信号２０ｂをホスト１１に出力する。
【００３３】
（第１の実施の形態の効果）
以上説明した本実施の形態によれば、以下のような効果が得られる。
（１）ステータス情報を含む第２データ信号３０ａを高速電気信号２１に重畳して、光信号６０として受信器３に送信しているので、１つの光通信ライン４で、第１データ信号２０ａと第２データ信号３０ａの２種類の信号を送信することができる。
（２）送信器２や受信器３に必要なステータス情報等の各種情報を送信器２と受信器３との間で送受信しているので、ホスト１０、１１の負担を軽減することができる。
（３）１つの光通信ライン４で、例えば、高速電気信号を低速電気信号により可変減衰させて送信し、減衰量に基づいて低速電気信号を復調する場合と比べて、高速電気信号への影響を抑制させつつ低速電気信号を送受信することができる。
【００３４】
［第２の実施の形態］
図５は、本発明の第２の実施の形態に係る送受信システムの構成例を示すブロック図である。第１の実施の形態では、ステータス情報を低速信号として高速信号に重畳させて送信器２から受信器３に送信したが、本実施の形態は、それに加えてクロック信号も送信器２から受信器３に送信するようにしたものである。以下、第１の実施の形態と異なる点を中心に説明する。
【００３５】
本実施の形態の送受信システム１Ａは、送信器２Ａと、受信器３Ａとを有して構成される。送信器２Ａと受信器３Ａとは、２本の光通信ライン４、５により接続される。ここで、送信器２Ａ及び受信器３Ａは、光通信モジュールの一例である。光通信ライン４、５は、光伝送路の一例である。
【００３６】
（送信器２Ａの構成）
送信器２Ａは、変調処理部１０１Ａと、電光変換部１５０と、クロック電光変換部１５１とを備える。変調処理部１０１Ａは、第１の実施の形態と同様に、高速信号生成部１１０、重畳部１１５、低速信号生成部１２０、バイアス付与部１３０及び制御部１４０を備え、さらにクロック信号生成部１６０と、クロックバイアス付与部１７０とを備える。
【００３７】
クロック信号生成部１６０は、クロック信号７０を生成し、クロックバイアス付与部１７０に出力する。クロック信号生成部１６０は、例えば発振回路等を有して構成される。
【００３８】
クロックバイアス付与部１７０は、クロック信号生成部１６０から出力されるクロック信号７０にバイアス電圧を付与したクロック信号７１をクロック電光変換部１５１に出力する。クロックバイアス付与部１７０は、例えばバイアス回路を有して構成される。
【００３９】
クロック電光変換部１５１は、クロックバイアス付与部１７０によりバイアス電圧が付与されたクロック信号７１をクロック光信号６５に電光変換し、そのクロック光信号６５を光通信ライン５を介して受信器３に送信する。クロック電光変換部１５１は、例えばレーザーダイオード、ＶＣＳＥＬ等の発光素子を有して構成される。
【００４０】
（受信器３Ａの構成）
受信器３Ａは、光電変換部２５０と、クロック光電変換部２５１と、復調処理部２０１Ａとを備える。復調処理部２０１Ａは、第１の実施の形態と同様に、低速信号抽出部２１０、信号変換部５０及び制御部２４０を備え、さらに第２データ信号抽出部２７０を備える。
【００４１】
クロック光電変換部２５１は、送信器２Ａのクロック電光変換部１５１から出力されたクロック光信号６５を電気信号のクロック信号８０に変換し、第２データ信号抽出部２７０に出力する。クロック光電変換部２５１は、例えばフォトダイオード等の受光素子を有して構成される。
【００４２】
第２データ信号抽出部２７０は、クロック光電変換部２５１により光電変換されたクロック信号８０に同期して、低速信号抽出部２１０により抽出された低速電気信号４１から第２データ信号３０ｂを抽出し、制御部２４０に出力する。すなわち、第２データ信号抽出部２２０は、クロック信号８０の立ち上がりに同期して低速電気信号４１と閾値電圧Ｖｃとを比較し、閾値電圧Ｖｃ以上の電圧を第２データ信号３０ｂとして抽出する。第２データ信号抽出部２７０は、例えば、各種フィルター、ピーク検波器等を有して構成される。
【００４３】
（第２の実施の形態の効果）
以上説明した本実施の形態によれば、第１の実施の形態の効果と同様の効果を得ることができる。また、第２データ信号抽出部２７０は、低速電気信号４１からクロック信号８０に同期して第２データ信号３０ｂを抽出しているので、例えば、単数チャンネルで光信号を送受信する場合と比べて、より高い精度で第２データ信号３０ｂを抽出することができる。
【００４４】
［第３の実施の形態］
図６は、本発明の第３の実施の形態に係る送受信システムの構成例を示すブロック図である。図７は、第３の実施の形態における概略の信号の流れを示す図である。
【００４５】
第１の実施の形態は、ステータス情報を含む第２データ信号３０ｂを低速信号として高速信号に重畳させ、その重畳信号２５を送信器２から受信器３に送信したが、本実施の形態は、重畳信号２５を差動信号として送信器２から受信器３に送信するようにしたものである。以下、第１の実施の形態と異なる点を中心に説明する。
【００４６】
本実施の形態の送受信システム１Ｂは、送信器２Ｂと、受信器３Ｂとを有して構成される。送信器２Ｂと受信器３Ｂとは、第１光通信ライン４ａ及び第２光通信ライン４ｂにより接続される。ここで、送信器２Ｂ及び受信器３Ｂは、光通信モジュールの一例でありる。第１光通信ライン４ａ及び第２光通信ライン４ｂは、光ファイバ等の光伝送路の一例である。
【００４７】
（送信器２Ｂの構成）
送信器２Ｂは、変調処理部１０１Ｂと、第１電光変換部１５０ａと、第２電光変換部１５０ｂとを備える。変調処理部１０１Ｂは、第１の実施の形態と同様に、高速信号生成部１１０、第１重畳部１１５ａ、低速信号生成部１２０、第１バイアス付与部１３０ａ及び制御部１４０を備え、さらに第２バイアス付与部１３０ｂと、第２重畳部１１５ｂとを備える。
【００４８】
本実施の形態では、高速信号生成部１１０は、第１重畳部１１５ａ及び第２重畳部１１５ｂに高速電気信号２１を出力する。また、低速信号生成部１２０は、第１バイアス付与部１３０ａ及び第２バイアス付与部１３０ｂに低速電気信号３１を出力する。
【００４９】
第１バイアス付与部１３０ａは、第１の実施の形態のバイアス付与部１３０と同様に、低速電気信号３１に第１電光変換部１５０ａを駆動するための正のバイアス電圧を付与した図７に示すような低速電気信号３２ａを第１重畳部１１５ａに出力する。
【００５０】
第２バイアス付与部１３０ｂは、低速電気信号３１に第２電光変換部１５０ｂを駆動するための反転したバイアス電圧を付与した図７に示すような低速電気信号３２ｂを第２重畳部１１５ｂに出力する。
【００５１】
第１重畳部１１５ａは、第１の実施の形態の重畳部１１５と同様に、高速信号生成部１１０により生成された高速電気信号２１に第１バイアス付与部１３０ａにより正のバイアス電圧が付与された低速電気信号３２ａを重畳して第１重畳信号２５ａを生成し、第１重畳信号２５ａを第１電光変換部１５０ａに出力する。
【００５２】
第２重畳部１１５ｂは、高速信号生成部１１０により生成された高速電気信号２１に第２バイアス付与部１３０ｂにより反転したバイアス電圧が付与された低速電気信号３２ｂを重畳して第２重畳信号２５ｂを生成し、第２重畳信号２５ｂを第２電光変換部１５０ｂに出力する。
【００５３】
第１電光変換部１５０ａは、第１重畳部１１５ａにより生成された第１重畳信号２５ａを電光変換して得られた第１光信号６０ａを第１光通信ライン４ａを介して受信器３に送信する。
【００５４】
第２電光変換部１５０ｂは、第２重畳部１１５ｂにより生成された第２重畳信号２５ｂを電光変換して得られた第２光信号６０ｂを第２光通信ライン４ｂを介して受信器３に送信する。
【００５５】
（受信器３Ｂの構成）
受信器３Ｂは、第１光電変換部２５０ａと、第２光電変換部２５０ｂと、復調処理部２０１Ｂとを備える。復調処理部２０１Ｂは、第１の実施の形態と同様に、第１低速信号抽出部２１０ａ、第２データ信号抽出部２２０、制御部２４０及び信号変換部５０を備え、さらに第２低速信号抽出部２１０ｂと、差分低速信号生成部２２５とを備える。
【００５６】
第１光電変換部２５０ａは、送信器２Ｂの第１電光変換部１５０ａから送信された第１光信号６０ａを高速電気信号４０ａに変換し、高速電気信号４０ａを信号変換部５０及び第１低速信号抽出部２１０ａに出力する。
【００５７】
第２光電変換部２５０ｂは、送信器２Ｂの第２電光変換部１５０ｂから送信された第２光信号６０ｂを高速電気信号４０ｂに変換し、高速電気信号４０ｂを信号変換部５０及び第２低速信号抽出部２１０ｂに出力する。
【００５８】
信号変換部５０は、第１光電変換部２５０ａ及び第２光電変換部２５０ｂから出力された高速電気信号４０ａ、４０ｂをバイアス電圧成分の除去、１０Ｂ８Ｂ変換等の所定の処理を行って第１データ信号２０ｂに変換し、第１データ信号２０ｂをホスト１１に出力する。
【００５９】
第１低速信号抽出部２１０ａは、第１の実施の形態と同様に、高速電気信号４０ａの平均強度を検知して図７に示すような低速電気信号４１ａを抽出し、その低速電気信号４１ａを差分低速信号生成部２２５に出力する。第１低速信号抽出部２１０ａは、例えば各種フィルター等を有して構成される。なお、第１低速信号抽出部２１０ａは、不図示の光分岐部により分岐された光信号６０ａの一部や、漏れ光である光信号６０ａの一部を光電変換して入力し、光信号６０ａの平均強度を検出してもよい。
【００６０】
第２低速信号抽出部２１０ｂは、高速電気信号４０ｂの平均強度を検出して図７に示すような低速電気信号４１ｂを抽出し、その低速電気信号４１ｂを差分低速信号生成部２２５に出力する。
【００６１】
差分低速信号生成部２２５は、第１低速信号抽出部２１０ａにより抽出された第１低速電気信号４１ａと第２低速信号抽出部２１０ｂにより抽出された第２低速電気信号４１ｂとの差分処理を行って図７に示すような差分低速信号５９を生成し、差分低速信号５９を第２データ信号抽出部２２０に出力する。
【００６２】
第２データ信号抽出部２２０は、差分低速信号５９から第２データ信号３０ｂを抽出し、制御部２４０に出力する。
【００６３】
（第３の実施の形態の効果）
以上説明した本実施の形態によれば、２チャンネルで光信号を送受信し、高速電気信号を差動信号を利用して送信するので、第１の実施の形態と同様の効果が得られるとともに、第１の実施の形態と比べてノイズの影響が少なくなり、更に２倍の信号増幅を得ることができるため、第２データ信号を高い精度で抽出することができる。
【００６４】
［第４の実施の形態］
図８は、本発明の第４の実施の形態に係る送受信システムの構成例を示すブロック図である。図９は、第４の実施の形態における概略の信号の流れを示す図である。第３の実施の形態は、差動信号を利用して高速信号を送信したが、本実施の形態は、それに加えて差動信号を利用してクロック信号を送信するようにしたものである。以下、第３の実施の形態と異なる点を中心に説明する。
【００６５】
本実施の形態の送受信システム１Ｃは、送信器２Ｃと、受信器３Ｃとを有して構成される。送信器２Ｃと受信器３Ｃとは、第１光通信ライン４ａ、第２光通信ライン４ｂ、第３光通信ライン５ａ及び第４光通信ライン５ｂにより接続される。ここで、送信器２Ｃ及び受信器３Ｃは、光通信モジュールの一例でありる。第１光通信ライン４ａ、第２光通信ライン４ｂ、第３光通信ライン５ａ及び第４光通信ライン５ｂは、光伝送路の一例である。
【００６６】
（送信器２Ｃの構成）
送信器２Ｃは、第１電光変換部１５０ａと、第２電光変換部１５０ｂと、変調処理部１０１Ｃと、第１クロック電光変換部１５１ａと、第２クロック電光変換部１５１ｂとを備える。変調処理部１０１Ｃは、第３の実施の形態と同様に、高速信号生成部１１０、第１重畳部１１５ａ、第２重畳部１１５ｂ、低速信号生成部１２０、第１バイアス付与部１３０ａ、第２バイアス付与部１３０ｂ及び制御部１４０を備え、さらにクロック信号生成部１６０と、第１クロックバイアス付与部１７０ａと、第２クロックバイアス付与部１７０ｂとを備える。
【００６７】
クロック信号生成部１６０は、クロック信号７０を生成し、第１クロックバイアス付与部１７０ａ及び第２クロックバイアス付与部１７０ｂに出力する。
【００６８】
第１クロックバイアス付与部１７０ａは、クロック信号生成部１６０により出力されるクロック信号７０に第１クロック電光変換部１５１ａを駆動するために正のバイアス電圧を付与した図９に示すようなクロック信号７１ａを第１クロック電光変換部１５１ａに出力する。
【００６９】
第２クロックバイアス付与部１７０ｂは、クロック信号生成部１６０により出力されるクロック信号７０に第２クロック電光変換部１５１ｂを駆動するために反転したバイアス電圧を付与した図９に示すようなクロック信号７１ｂを第２クロック電光変換部１５１ｂに出力する。
【００７０】
第１クロック電光変換部１５１ａは、正のバイアス電圧が付与されたクロック信号７１ａを第１クロック光信号６５ａに変換して第３光通信ライン５ａを介して受信器３Ｃに送信する。
【００７１】
第２クロック電光変換部１５１ｂは、反転したバイアス電圧が付与されたクロック信号７１ｂを第２クロック光信号６５ｂに変換して第４光通信ライン５ｂを介して受信器３Ｃに送信する。
【００７２】
（受信器３Ｃの構成）
受信器３Ｃは、第１光電変換部２５０ａと、第２光電変換部２５０ｂと、第１クロック光電変換部２５１ａと、第２クロック光電変換部２５１ｂと、復調処理部２０１Ｃとを備える。復調処理部２０１Ｃは、第３の実施の形態と同様に、第１低速信号抽出部２１０ａ、第２低速信号抽出部２１０ｂ、差分低速信号生成部２２５、制御部２４０及び信号変換部５０を備え、さらに第２データ信号抽出部２７０と、差分クロック信号生成部２８５とを備える。
【００７３】
第１クロック光電変換部２５１ａは、送信器２Ｃの第１クロック電光変換部１５１ａから送信された第１クロック光信号６５ａを第１クロック信号８０ａに変換し、第１クロック信号８０ａを差分クロック信号生成部２８５に出力する。
【００７４】
第２クロック光電変換部２５１ｂは、送信器２Ｃの第２クロック電光変換部１５１ｂから出力された第２クロック光信号６５ｂを第２クロック信号８０ｂに変換し、差分クロック信号生成部２８５に出力する。
【００７５】
差分クロック信号生成部２８５は、第１クロック光電変換部２５１ａから出力される正のバイアス電圧が付与された第１クロック信号８０ａと第２クロック光電変換部２５１ｂから出力される反転したバイアス電圧が付与された第２クロック信号８０ｂとの差分処理を行い図９に示すような差分クロック信号８５を生成し、差分クロック信号８５を第２データ信号抽出部２２０に出力する。
【００７６】
第２データ信号抽出部２７０は、図９に示すように、差分クロック信号生成部２８５から出力される差分クロック信号８５に同期して差分低速信号５９から第２データ信号３０ｂを抽出し、第２データ信号３０ｂを制御部２４０に出力する。すなわち、第２データ信号抽出部２７０は、差分クロック信号８５の立ち上がりに同期して差分低速信号５９と閾値電圧と比較し、閾値電圧以上の電圧を第２データ信号３０ｂとして抽出する。
【００７７】
（第４の実施の形態の効果）
以上説明した本実施の形態によれば、４チャンネルで光信号を送受信し、高速電気信号とクロック信号を差動信号を利用して送信するので、第３の実施の形態の効果が得られるとともに、第３の実施の形態よりも高い精度で低速電気信号を抽出することができる。
【００７８】
［第５の実施の形態］
図１０は、本発明の第５の実施の形態に係る送受信システムの概要を示す図である。第１の実施の形態は、ホスト１０側に送信器２を設け、ホスト１１側に受信器３を設けたが、本実施の形態は、ホスト１０側に送受信機能を有する送受信器２Ｄを設け、ホスト１１側に送受信機能を有する送受信器３Ｄを設けたものである。
【００７９】
本実施の形態の送受信システム１Ｄは、ホスト１０のマザーボード１０ａに着脱可能に装着された送受信器２Ｄと、ホスト１１のマザーボード１１ａに着脱可能に装着された送受信器３Ｄとを有して構成される。送受信器２Ｄと送受信器３Ｄとは、２本の光通信ライン４により接続される。ここで、送受信器２Ｄ及び送受信器３Ｄは、光通信モジュールの一例でありる。２本の光通信ライン４は、光伝送路の一例である。
【００８０】
送受信器２Ｄ及び送受信器３Ｄは、互いに光信号を送受信可能に構成される。すなわち、送受信器２Ｄは、第１の実施の形態で説明した送信器２に受信器３の構成を追加し、送受信器３Ｄは、第１の実施の形態で説明した受信器３に送信器２の構成を追加したものである。
【００８１】
より具体的には、送受信器２Ｄは、送信側に変調処理部１０１及び電光変換部１５０を備え、受信側に光電変換部２５０及び復調処理部２０１を備える。また、送受信器３Ｄは、受信側に光電変換部２５０及び復調処理部２０１を備え、送信側に変調処理部１０１及び電光変換部１５０を備える。
【００８２】
本実施の形態によれば、ステータス情報を含む第２データ信号３０ａを高速電気信号２１に重畳して、光信号６０として互いに送受信することが可能であるので、送受信器２Ｄや送受信器３Ｄに必要なステータス情報等の各種の情報を送受信器２Ｄと送受信器３Ｄとの間で送受信することで、ホスト１０、１１間のデータ通信に与える影響を抑制することができ、ホスト１０、１１への負担を軽減することができる。
【００８３】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００８４】
［１］相手の光通信モジュールに光伝送路により接続された光通信モジュールにおいて、前記相手の光通信モジュールに送信すべき第１データ信号を変調した高速電気信号に自己の光通信モジュールのステータス情報を含む第２データ信号を低速電気信号として重畳させた重畳信号を生成する変調処理部と、前記変調処理部により生成された重畳信号を光信号に変換して前記光伝送路に出力する電光変換部と、を備えた光通信モジュール。
【００８５】
［２］第１の情報処理装置（１０）に接続された第１の光通信モジュール（２）と第２の情報処理装置（１１）に接続された第２の光通信モジュール（３）とを光伝送路（４）により接続した送受信システム（１）において、前記第１の光通信モジュール（２）は、前記第１の情報処理装置（１０）から前記第２の情報処理装置（１１）に送信すべき第１データ信号を変調した高速電気信号に前記第１の光通信モジュール（２）のステータス情報を含む第２データ信号を低速電気信号として重畳させた重畳信号を生成する変調処理部（１０１）と、前記変調処理部（１０１）により生成された重畳信号を光信号に変換して前記光伝送路（４）に出力する電光変換部（１０５）とを備え、前記第２の光通信モジュール（３）は、前記光伝送路（４）を介して受信した光信号を電気信号に変換する光電変換部（２５０）と、前記光電変換部（２５０）により変換された電気信号から前記第１データ信号及び前記第２データ信号を抽出する復調処理部（２０１）とを備えた、送受信システム。
【００８６】
［３］前記第１の光通信モジュール（２）の前記変調処理部（１０１）は、前記低速電気信号をバイアス電圧として前記高速電気信号に付与して前記重畳信号を生成する、前記［２］に記載の送受信システム。
【００８７】
［４］前記第２の光通信モジュール（３）の前記復調処理部（２０１）は、前記光電変換部（２５０）によって変換された前記電気信号、又は前記光電変換部（２５０）によって変換される前の前記光信号の平均強度に基づいて前記第２データ信号を抽出する、前記［２］又は［３］に記載の送受信システム。
【００８８】
［５］前記第１の光通信モジュール（２）は、前記光信号を差動信号として前記光伝送路（４）を介して前記第２の光通信モジュール（３）に送信する、前記［２］から［４］のいずれかに記載の送受信システム。
【００８９】
［６］前記第１の光通信モジュール（２）の前記変調処（１０１）理部は、クロック信号を生成し、前記電光変換部（１０５）は、前記クロック信号をクロック光信号に変換して前記光伝送路（４）を介して前記第２の光通信モジュール（３）に送信し、前記第２の光通信モジュール（３）の前記光電変換部（２５０）は、前記光伝送路（４）を介して送信された前記クロック光信号をクロック信号に変換し、前記復調処理部（２０１）は、前記光電変換部（２５０）により変換されたクロック信号に同期して前記電気信号から前記第１データ信号及び前記第２データ信号を抽出する、前記［２］から［５］のいずれかに記載の送受信システム。
【００９０】
［７］前記第１の光通信モジュール（２）は、前記クロック光信号を差動信号として前記光伝送路（４）を介して前記第２の光通信モジュール（３）に送信する、前記［６］に記載の送受信システム。
【００９１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００９２】
１、１Ａ〜１Ｄ…送受信システム、
２、２Ａ〜２Ｄ…送信器、
３、３Ａ〜３Ｄ…受信器、
４、４ａ、４ｂ、５、５ａ、５ｂ…光通信ライン、
１０…ホスト、
１０ａ…マザーボード、
１１…ホスト、
１１ａ…マザーボード、
２０ａ、２０ｂ…第１データ信号、
２１…高速電気信号、
２５、２５ａ、２５ｂ…重畳信号、
３０ａ、３０ｂ…第２データ信号、
３１…バイアス電圧付与前の低速電気信号、
３２、３２ａ、３２ｂ…バイアス電圧付与後の低速電気信号、
４０、４０ａ、４０ｂ…高速電気信号、
４１、４１ａ、４１ｂ…低速電気信号、
５０…信号変換部、
５９…差分低速信号、
６０、６０ａ、６０ｂ…光信号、
６５、６５ａ、６５ｂ…クロック光信号、
７０…バイアス電圧付与前のクロック信号、
７１、７１ａ、７１ｂ…バイアス電圧付与後のクロック信号、
８０、８０ａ、８０ｂ…クロック信号、
８５…差分クロック信号、
１０１、１０１Ａ〜１０１Ｃ…変調処理部、
１１０…高速信号生成部、
１１５…重畳部、
１１５ａ…第１重畳部、
１１５ｂ…第２重畳部、
１２０…低速信号生成部、
１３０…バイアス付与部、
１３０ａ…第１バイアス付与部、
１３０ｂ…第２バイアス付与部、
１４０…制御部、
１５０…電光変換部、
１５０ａ…第１電光変換部、
１５０ｂ…第２電光変換部、
１５１…クロック電光変換部、
１５１ａ…第１クロック電光変換部、
１５１ｂ…第２クロック電光変換部、
１６０…クロック信号生成部、
１７０…クロックバイアス付与部、
１７０ａ…第１クロックバイアス付与部、
１７０ｂ…第２クロックバイアス付与部、
２０１、２０１Ａ〜２０１Ｃ…復調処理部、
２１０…低速信号抽出部、
２１０ａ…第１低速信号抽出部、
２１０ｂ…第２低速信号抽出部、
２２０…第２データ信号抽出部、
２２５…差分低速信号生成部、
２４０…制御部、
２５０…光電変換部、
２５０ａ…第１光電変換部、
２５０ｂ…第２光電変換部、
２５１…クロック光電変換部、
２５１ａ…第１クロック光電変換部、
２５１ｂ…第２クロック光電変換部、
２７０…第２データ信号抽出部、
２８５…差分クロック信号生成部、
Ｖｂ…バイアス電圧、
Ｖｃ…閾値電圧、
Ｖｓ…パルス電圧
【図１】
2015136086.tif 000003
【図２】
2015136086.tif 000004
【図３】
2015136086.tif 000005
【図４】
2015136086.tif 000006
【図５】
2015136086.tif 000007
【図６】
2015136086.tif 000008
【図７】
2015136086.tif 000009
【図８】
2015136086.tif 000010
【図９】
2015136086.tif 000011
【図１０】
2015136086.tif 000012